Podtech/llm-jp-corpus-v4-ja_patent huggingface dataset:
(57)【要約】【課題】  傘を入れる袋やケースを別途に用意して持ち歩く等の面倒がなく、出し入れが簡単で、くるくると巻丸められる携帯便利な傘鞘を提供する。【解決手段】  防水性の布地を用い、傘の長さ程度であって、出し入れ口を板バネで形成し、偏平に畳んだ時の袋の両縁にピアノ線を内設し、袋内の先端部に水受け部を設け、袋の中央部に肩掛け帯を設け、板バネ中央に指掛け帯を設けたことを特徴とするくるくる傘鞘。【選択図】図１
2017099836.tif 000002
【特許請求の範囲】
【請求項１】
防水性の布地を用い、普通の傘が入る程度の大きさで袋状を形成し、傘の出し入れ口となる開口部の反対端、即ち底部端の内側に水受け部を内設し、水受け部の側面一カ所に水抜き栓を設置し、開口部の内側を１〜２ｃｍ程度の幅で縁取る様に板バネを内設し、更にこの袋状を偏平に畳んだ状態において、板バネの上縁、即ち開口部縁から底部端まで左右の側縁に沿ってピアノ線を内設し、この偏平に畳まれた状態における対向的な二つの袋外面の一方側において、左右のピアノ線に挟まれた中間域に、ピアノ線と同方向に肩掛け帯を設置し、同じ側の板バネ面の中央部に指掛け帯を設置し、非使用時には、水受け部を芯として、ゼンマイの様に開口部近くまでクルクルと丸め留めて、傘鞘を畳む手間が省けるようにしたことを特徴とするクルクル傘鞘。
【発明の詳細な説明】
【技術分野】
【０００１】  本発明、普通の傘を簡単に出し入れするために使う一種の傘袋にかんするものである。
【背景の技術】
【０００２】  筒体内に軸芯を設けだ収納容器があり、軸芯の割れ目に偏平状の傘袋の先端を挟み留めて、筒内ニロール状に収納するという先行技術がしられている（特許文献１参照）。
また、傘袋開口部近く外側に設けたポケットに丸め畳んだ傘袋を収納して携帯できるという先行技術もしられている（特許文献２参照）。
【先行技術文献】
【特許文献】
【０００３】
【特許文献１】  特許公開２００７−１２５２０１号広報
【特許文献２】  登録実用新案第３１４２７８６号広報
【発明の概要】
【発明が解決しようとする課題】
【０００４】  特許文献１に示される先行技術は、使用にあたって、まず、傘袋を筒から取り出して、傘袋を軸心のスリットをかえして、引き伸ばして、傘を入れる事になるが、それまでの面倒な手順もさることながら、筒状本体を何かしらの仕法で取り付けるか、別々に携帯して持ち歩くかする必要が有り、余分な荷物が増えることになって、とても実用的とはいえない。
特許文献２に示される先行技術は、丁度買い物袋に付設してある小ポケット同様に、傘袋の入り口外側に備えた小ポケットに傘袋を収納しようとする際、傘袋その物を小さくていねいに丸めて畳む面倒な作業を要する。
本発明は以上の様な問題点を解決する為になされたものである。
【課題を解決するための手段】
【０００５】  防水性の布地を用い、普通の傘が入る程度の大きさで袋状を形成し、傘の出し入れ口となる開口部の反対側、即ち底部の内側に水受け部を内設し、水受け部の側面一カ所に水抜き栓を設置し、開口部の内側を１〜２ｃｍ程度の幅で縁取る様に板バネを内設し、更にこの袋状を偏平に畳んだ状態において、板バネの上縁、即ち開口部縁から底部端まで、左右の側縁に沿ってピアノ線を内設する。この偏平に畳まれた状態における対向的な二つの袋外面の一方側において、左右のピアノ線に挟まれた中間域に、ピアノ線と同方向に肩掛け帯を設置し、同じ側の板バネ面の中央部に、指掛け帯を設置する。非使用時には、水受け部を芯として、ゼンマイの様に開口部近くまでクルクルと丸め留めておく。
以上を特徴とするくるくる傘鞘である。
【発明の効果】
【０００６】  雨の日に、買い物先のデパートやスーパーの出入り口付近にお店の備え付けの傘用ビニール袋を取ろうとする人達で、順番を待つことがあったり、ビニール袋がゴミ箱からこぼれ落ちていて、周りに散らかり、それを踏んで転倒することもある。こう言った事態に備えて、手軽に携帯できる傘鞘として利用できる。傘鞘に肩掛け帯が設置してあるので、持ち歩きが便利である。又、開口部に板バネを内設してあり。傘を挟み締めているので、傘鞘がずり落ちる心配がない、また、傘鞘の非使用時には傘鞘の内側に内設したピアノ線を活かして、傘鞘の底部内の水受け部を芯として、ゼンマイの用にくるくる丸め留めて収納できる。傘鞘を使用にあたっては、傘を鞘に差し入れて行けば、ゼンマイが伸びて行き、傘を抜けば伸びたゼンマイが戻るようにひとりでにくるくると丸まり、手のひらに乗るくらいにになるので使い易く、収納も便利である。
【図面の簡単な説明】
【０００７】
【図１】  本発明の正面図
【図２】  図１に示される本発明から傘袋地を取り除き、板バネとピアノ線と水受け部と側面の水抜き栓の構造的関連を見えるように表した正面図
【図３】  本発明の非使用時において丸め留めている状態を示す正面図
【発明を実施するための形態】
【０００８】  防水性の布地を用い、普通の傘が入る程度の大きさで袋状を形成し、傘の出し入れ口となる（２）開口部の反対端、即ち底部（９）の端内側に水受け部（７）を内設し、水受け部の側面一カ所に水抜き栓（８）を設置し、開口部の内側を１〜２ｃｍ程度の幅で縁取る様に板バネ（３）を内設し、更にこの袋状を偏平に畳んだ状態において、板バネの上縁、即ち開口部縁から底部端まで左右の側縁に沿ってピアノ線（４）を内設し、この偏平に畳まれた状態における対向的な二つの袋外面の一方側において、左右のピアノ線（４）に挟まれた中間域に、ピアノ線（４）と同方向に肩掛け帯（６）を設置し、同じ側の板バネ面の中央部に指掛け帯（５）を設置する。非使用時には、水受け部（７）を芯として、ゼンマイの様に開口部（２）近くまでクルクルと丸め留めて、傘鞘を畳む手間が省ける。
本発明は以上のような構成である。
本発明を使用するときは、傘鞘（１）の開口部（２）に、傘を挟む様に内設してある板バネ（３）の両端を親指と人差し指で挟んで力を入れると、開口部（２）の板バネ（３）が開くので傘の出しい入れが楽に出来る。
また。傘鞘の指描け帯（５）に人差し指を入れ、板バネ（３）の両端に親指と中指を添えて、人指し指を曲げると板バネ（３）が開くので傘の出し入れが楽に出来る。非使用時には、薄く偏平状になるので、くるくる巻丸め留めて携帯しやすい（図３参照）。
【符号の説明】
【０００９】１    傘鞘
２    開口部
３    板バネ
４    ピアノ線
５    指掛け帯
６    肩掛け帯
７    水浮け部
８    水抜き栓
９    底部
【図１】
2017099836.tif 000003
【図２】
2017099836.tif 000004
【図３】
2017099836.tif 000005
(57)【要約】      （修正有）【課題】色付きであることの利点を大いに活かした色付き積み木を提供する。【解決手段】単一色で色付けされた積み木が複数色分あって、積み木の各面には他の積み木の色を印としてつけており、「積んだ積み木の上面の印の色の積み木をその積み木の上に積む」というルールを制約として遊ぶ積み木。【選択図】なし【特許請求の範囲】
【請求項１】
単一色で色付けされた積み木が複数色分あって、積み木の各面には他の積み木の色が印としてつけられている玩具。
【発明の詳細な説明】
【技術分野】
【０００１】    本発明は、色付き積み木に関する。
【背景技術】
【０００２】    従来、色付き積み木は広く普及し、遊びながら想像力や集中力を育む幼児用の知育玩具として定着している。しかし、その遊び方としては、積み上げる、並べる、形を組み合わせて他のものを形成するといった方法に限られてしまい、色付きであることの利点を大いに活かすことができず、各方面で様々な改善策が検討されている。
【発明の概要】
【発明が解決しようとする課題】
【０００３】    従来の色付き積み木の遊び方としては、積み上げる、並べる、形を組み合わせて他のものを形成するといった方法に限られてしまい、色付きであることの利点を大いに活かすことができていない。【０００４】    そこで、本発明は、色付きであることの利点を大いに活かした色付き積み木を提供することを目的とする。
【課題を解決するための手段】
【０００５】    本発明に係る色付き積み木は、単一色で色付けされた積み木が複数色分あって、積み木の各面には他の積み木の色を印としてつけており、「積んだ積み木の上面の印の色の積み木をその積み木の上に積む」というルールを制約として遊ぶ。
【発明の効果】
【０００６】    本発明によれば、積み木が色付きであることの利点を大いに活かすことができる。
【産業上の利用可能性】
【０００７】    本発明は、色付き積み木を製造する産業で利用される。